(57)【要約】  ユーザ端末に対するＴＣＩ状態の指定を適切に制御するために、本開示の一態様に係るユーザ端末は、送信構成指示（ＴＣＩ）の状態を指定するフィールドを含む下り制御情報を受信する受信部と、前記下り制御情報によりスケジューリングされるセル、及び前記下り制御情報により指定される帯域幅部分（ＢＷＰ）の少なくとも一つに基づいて前記フィールドが指定するＴＣＩの状態を決定する制御部と、を有する。
2020053941.tif 000002
【特許請求の範囲】
【請求項１】
送信構成指示（ＴＣＩ）の状態を指定するフィールドを含む下り制御情報を受信する受信部と、
前記下り制御情報によりスケジューリングされるセル、及び前記下り制御情報により指定される帯域幅部分（ＢＷＰ）の少なくとも一つに基づいて前記フィールドが指定するＴＣＩの状態を決定する制御部と、を有することを特徴とするユーザ端末。
【請求項２】
前記制御部は、前記下り制御情報に含まれるキャリア識別子（ＣＩ）及びＢＷＰ識別子（ＢＩ）の少なくとも一つを利用して前記フィールドにより指定されるＴＣＩの状態の解釈を制御することを特徴とする請求項１に記載のユーザ端末。
【請求項３】
前記フィールドが指定するＴＣＩの状態の候補はセル毎に設定されることを特徴とする請求項１又は請求項２に記載のユーザ端末。
【請求項４】
前記フィールドが指定するＴＣＩの状態の候補はＢＷＰ毎に設定されることを特徴とする請求項１から請求項３のいずれかに記載のユーザ端末。
【請求項５】
送信構成指示（ＴＣＩ）の状態を指定するフィールドを含む下り制御情報を受信する工程と、
前記下り制御情報によりスケジューリングされるセル、及び前記下り制御情報により指定される帯域幅部分（ＢＷＰ）の少なくとも一つに基づいて前記フィールドが指定するＴＣＩの状態を決定する工程と、を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、ＮＲ）では、ビームフォーミング（ＢＦ：Beam  Forming）を利用して通信を行うことが検討されている。このため、ユーザ端末は、チャネルの送信構成指示（ＴＣＩ：Transmission  Configuration  Indication又はTransmission  Configuration  Indicator）の状態（ＴＣＩ状態）に基づいて、当該チャネルの受信処理（例えば、受信、デマッピング、復調、復号の少なくとも１つ）を制御することが検討されている。【０００７】
ＴＣＩ状態とは、チャネル又は信号の疑似コロケーション（ＱＣＬ：Quasi-Co-Location）に関する情報であり、空間受信パラメータ等とも呼ばれる。ＴＣＩ状態は、チャネル毎又は信号毎にユーザ端末に指定される。ユーザ端末は、チャネル毎に指定されるＴＣＩ状態に基づいて、各チャネルの送信ビーム（Ｔｘビーム）及び受信ビーム（Ｒｘビーム）の少なくとも一つを決定する。また、物理共有チャネルをスケジューリングするＤＣＩにＴＣＩ状態を指定するフィールド（ＴＣＩフィールドとも呼ぶ）を含めてＵＥに通知することも検討されている。【０００８】
しかしながら、異なるキャリア間でのスケジューリング（クロスキャリアスケジューリング）を適用する場合、他のキャリアのＤＣＩでスケジューリングされるキャリアにおいてＴＣＩフィールドの解釈をどのように制御するかについて十分に検討されていない。あるいは、ＤＣＩを利用してチャネル又は信号の送受信に利用する帯域幅部分（ＢＷＰ）を指定する（例えば、スイッチング等を行う）場合、ＤＣＩに含まれるＴＣＩフィールドの解釈をどのように制御するかについて十分に検討されていない。【０００９】
本発明はかかる点に鑑みてなされたものであり、ユーザ端末に対するＴＣＩ状態の指定を適切に制御することができるユーザ端末及び無線通信方法を提供することを目的の一つとする。
【課題を解決するための手段】
【００１０】
本開示の一態様に係るユーザ端末は、送信構成指示（ＴＣＩ）の状態を指定するフィールドを含む下り制御情報を受信する受信部と、前記下り制御情報によりスケジューリングされるセル、及び前記下り制御情報により指定される帯域幅部分（ＢＷＰ）の少なくとも一つに基づいて前記フィールドが指定するＴＣＩの状態を決定する制御部と、を有することを特徴とする。
【発明の効果】
【００１１】
本開示の一態様によれば、ユーザ端末に対するＴＣＩ状態の指定を適切に制御できる。
【図面の簡単な説明】
【００１２】
【図１】図１は、クロスキャリアスケジューリングの一例を示す図である。
【図２】図２は、セル毎にＴＣＩフィールド値を別々に設定する場合の一例を示す図である。
【図３】図３は、クロスキャリアスケジューリングの他の例を示す図である。
【図４】図４は、セルにおけるＢＷＰ毎にＴＣＩフィールド値を別々に設定する場合の一例を示す図である。
【図５】図５は、ＢＷＰスイッチングの一例を示す図である。
【図６】図６は、本実施の形態に係る無線通信システムの概略構成の一例を示す図である。
【図７】図７は、本実施の形態に係る無線基地局の全体構成の一例を示す図である。
【図８】図８は、本実施の形態に係る無線基地局の機能構成の一例を示す図である。
【図９】図９は、本実施の形態に係るユーザ端末の全体構成の一例を示す図である。
【図１０】図１０は、本実施の形態に係るユーザ端末の機能構成の一例を示す図である。
【図１１】図１１は、本実施の形態に係る無線基地局及びユーザ端末のハードウェア構成の一例を示す図である。
【発明を実施するための形態】
【００１３】
（ＴＣＩ状態）
ＮＲでは、ユーザ端末は、チャネルの送信構成指示（ＴＣＩ：Transmission  Configuration  Indication又はTransmission  Configuration  Indicator）の状態（ＴＣＩ状態）に基づいて、当該チャネルの受信処理（例えば、受信、デマッピング、復調、復号の少なくとも１つ）を制御することが検討されている。
【００１４】
ここで、ＴＣＩ状態とは、チャネル又は信号の疑似コロケーション（ＱＣＬ：Quasi-Co-Location）に関する情報であり、空間受信パラメータ、空間情報（spatial  info）等とも呼ばれる。ＴＣＩ状態は、チャネル毎又は信号毎にユーザ端末に指定される。ユーザ端末は、チャネル毎に指定されるＴＣＩ状態に基づいて、各チャネルの送信ビーム（Ｔｘビーム）及び受信ビーム（Ｒｘビーム）の少なくとも一つを決定してもよい。
【００１５】
ＴＣＩ状態は、所定の識別子（ＴＣＩ状態ＩＤ（TCI-StateId））によって識別され、対象となるチャネル／信号（又は当該チャネル用の参照信号（又は当該参照信号のアンテナポート））と、別の信号（例えば、別の下り参照信号（ＤＬ−ＲＳ：Downlink  Reference  Signal）又は上り参照信号（ＵＬ−ＲＳ：Uplink  Reference  Signal））とのＱＣＬに関する情報（ＱＣＬ情報（QCL-Info））を示してもよい（含んでもよい）。
【００１６】
ＱＣＬとは、（Quasi-Co-Location）とは、チャネル／信号の統計的性質を示す指標であり、疑似コロケーションとも呼ばれる。ＵＥは、ユーザ端末は、所定のチャネル及び信号の少なくとも一つ（チャネル／信号）のＱＣＬに関する情報（ＱＣＬ情報）に基づいて、当該チャネル／信号の受信処理又は送信処理を制御してもよい。受信処理は、例えば、デマッピング、復調、復号の少なくとも１つに相当する。送信処理は、マッピング、変調、符号の少なくとも１つに相当する。
【００１７】
例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００１８】
なお、空間受信パラメータは、ユーザ端末の受信ビーム（例えば、受信アナログビーム）、又は送信ビーム（例えば、送信アナログビーム）に対応してもよく、空間的ＱＣＬに基づいてビームが特定されてもよい。本開示におけるＱＣＬ、及びＱＣＬの少なくとも１つの要素は、ｓＱＣＬ（spatial  QCL）で読み替えられてもよい。
【００１９】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００２０】
以上のようなＱＣＬに関する情報（ＱＣＬ情報、QCL-Info）は、チャネル毎に指定されてもよい。各チャネルのＱＣＬ情報は、以下の少なくとも一つの情報を含んでもよい（又は、示してもよい）：
・上記ＱＣＬタイプを示す情報（ＱＣＬタイプ情報）、
・各チャネルとＱＣＬ関係となる参照信号（ＲＳ：Reference  Signal）に関する情報（ＲＳ情報）、
・当該ＲＳが位置するキャリア（セル）を示す情報、
・当該ＲＳが位置する帯域幅部分（ＢＷＰ：Bandwidth  Part）を示す情報、
・各チャネルの空間受信パラメータ（例えば、Ｒｘビーム）を示す情報。
【００２１】
なお、ＴＣＩ状態が指定されるチャネルは、下り共有チャネル（ＰＤＳＣＨ：Physical  Downlink  Shared  Channel）、下り制御チャネル（ＰＤＣＣＨ：Physical  Downlink  Control  Channel）、上り共有チャネル（ＰＵＳＣＨ：Physical  Uplink  Shared  Channel）、上り制御チャネル（ＰＵＣＣＨ：Physical  Uplink  Control  Channel）の少なくとも一つであってもよい。
【００２２】
また、当該チャネルとＱＣＬ関係となるＲＳは、例えば、同期信号ブロック（ＳＳＢ：Synchronaization  Signal  Block）又はチャネル状態情報参照信号（ＣＳＩ−ＲＳ：Channel  Satate  Information-Reference  Signal）であってもよい。ＳＳＢは、プライマリ同期信号（ＰＳＳ：Primary  Synchronaization  Signal）、セカンダリ同期信号（ＳＳＳ：Secondary  Synchronaization  Signal）及びブロードキャストチャネル（ＰＢＣＨ：Physical  Broadcast  Channel）の少なくとも１つを含む信号ブロックである。
【００２３】
＜ＰＤＣＣＨ用のＴＣＩ状態＞
ＰＤＣＣＨ用のＴＣＩ状態は、ＰＤＣＣＨ（又はＰＤＣＣＨの復調用参照信号（ＤＭＲＳ：DeModulation  Reference  Signal））とＱＣＬ関係となるＲＳに関する情報（例えば、当該ＲＳのリソース）を指定してもよい。当該ＤＭＲＳは、当該ＤＭＲＳのアンテナポート（ＤＭＲＳポート）又は当該ＤＭＲＳポートのグループ（ＤＭＲＳポートグループ）等と言い換えられてもよい。
【００２４】
ユーザ端末には、制御リソースセット（ＣＯＲＥＳＥＴ：Control  Resource  Set）毎に、一以上のＴＣＩ状態が上位レイヤシグナリングにより設定（configure）されてもよい。また、１ＣＯＲＥＳＥＴあたり一以上のＴＣＩ状態が設定される場合、単一のＴＣＩ状態が、ＭＡＣ（Medium  Access  Control）シグナリングによりアクティブ化されてもよい。
【００２５】
ここで、上位レイヤシグナリングは、例えば、ＲＲＣ（Radio  Resource  Control）シグナリング、ブロードキャスト情報、などのいずれか、又はこれらの組み合わせであってもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。
【００２６】
ＣＯＲＥＳＥＴには、一以上のＰＤＣＣＨ候補（PDCCH  candidates）を含むサーチスペースが関連付けられてもよい。ＣＯＲＥＳＥＴあたり一以上のサーチスペースが関連づけられてもよい。ユーザ端末は、サーチスペースをモニタリングして、ＰＤＣＣＨ（ＤＣＩ）を検出してもよい。
【００２７】
ＰＤＣＣＨ候補は、一つのＰＤＣＣＨがマッピングされるリソース単位であり、例えば、アグリゲーションレベルに応じた数の制御チャネル要素（ＣＣＥ：Control  Channel  Element）で構成されてもよい。サーチスペースには、アグリゲーションレベルに応じた数のＰＤＣＣＨ候補が含まれてもよい。
【００２８】
なお、本開示において、「ＣＯＲＥＳＥＴ」、「サーチスペース（又はサーチスペースセット）」、「ＰＤＣＣＨ候補（又は一以上のＰＤＣＣＨ候補のセット（ＰＤＣＣＨ候補セット））」、「下り制御チャネル（例えば、ＰＤＣＣＨ）」及び「下り制御情報（ＤＣＩ）」は、互いに読み替えられてもよい。また、「モニタリング」は、「ブラインド復号及びブラインド検出の少なくとも一方」で読み替えられてもよい。
【００２９】
例えば、ユーザ端末は、ＣＯＲＥＳＥＴに対応する（又は、当該ＣＯＲＥＳＥＴについてアクティブ化されている）ＴＣＩ状態に基づいて、ＰＤＣＣＨの受信処理を制御してもよい。具体的には、ユーザ端末は、当該ＴＣＩ状態によって指定されるＲＳと同一のＴｘビームを用いて送信されると想定して、ＰＤＣＣＨの受信処理を行ってもよい。また、ユーザ端末は、当該ＴＣＩ状態に基づいて、ＰＤＣＣＨの空間受信パラメータ（Ｒｘビーム）を決定してもよい。
【００３０】
＜ＰＤＳＣＨ用のＴＣＩ状態＞
ＰＤＳＣＨ用のＴＣＩ状態は、ＰＤＳＣＨ（又はＰＤＳＣＨのＤＭＲＳ）とＱＣＬ関係となるＲＳに関する情報（例えば、当該ＲＳのリソース）を指定してもよい。当該ＤＭＲＳは、ＤＭＲＳポート又はＤＭＲＳポートグループ等と言い換えられてもよい。
【００３１】
ユーザ端末は、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定（configure））されてもよい。Ｍ個のＴＣＩ状態の少なくとも一部は、ＭＡＣシグナリングによりアクティブ化されてもよい。ＰＤＳＣＨをスケジューリングするＤＣＩ内の所定フィールド（例えば、ＴＣＩフィールド）の値が、設定（configure）された（又はアクティブ化された）ＴＣＩ状態の中の一つを示してもよい。
【００３２】
ユーザ端末は、ＤＣＩ内の所定フィールド値が示すＴＣＩ状態に基づいて、ＰＤＳＣＨの受信処理を制御してもよい。具体的には、ユーザ端末は、当該ＴＣＩ状態によって指定されるＲＳと同一のＴｘビームを用いて送信されると想定して、ＰＤＳＣＨの受信処理を行ってもよい。また、ユーザ端末は、当該ＴＣＩ状態に基づいて、ＰＤＳＣＨの空間受信パラメータ（Ｒｘビーム）を決定してもよい。
【００３３】
ＴＣＩ状態を指定するＤＣＩ内の所定フィールド（例えば、ＴＣＩフィールド）は、制御リソースセット（ＣＯＲＥＳＥＴ：COntrol  REsource  SET）毎に設定されることが検討されている。例えば、ネットワーク（例えば、基地局）は、ＣＯＲＥＳＥＴの設定に利用される上位レイヤパラメータ（例えば、ControlResourceSet）に含まれる所定フィールド（例えば、tci-PresentInDCI）を利用して、ＤＣＩにおけるＴＣＩフィールドの設定有無を制御する。
【００３４】
ＴＣＩフィールドが設定された場合、ＤＣＩに所定ビット（例えば、３ビット）のＴＣＩフィールドが設定される。また、複数のＣＯＲＥＳＥＴにそれぞれ対応するＤＣＩ（例えば、ＤＣＩフォーマット１＿１）のペイロードサイズをそろえるために、ＴＣＩフィールドを利用しない他のＣＯＲＥＳＥＴについても３ビットのゼロパディングが付加されてもよい。
【００３５】
ＤＣＩに含まれるＴＣＩフィールドは、当該ＤＣＩによりスケジューリングされる物理共有チャネル（例えば、ＰＤＳＣＨ）のＴＣＩ状態の指定に利用される。例えば、ＵＥは、ＤＣＩによりＰＤＳＣＨがスケジューリングされた場合、当該ＤＣＩに含まれるＴＣＩフィールド値（所定ビット値又は所定コードポイント）に基づいて、ＰＤＳＣＨに適用するＴＣＩ状態を判断する。
【００３６】
ところで、ＮＲでは、第１のセルで送信されるＤＣＩを利用して、他のセル（例えば、第２のセル）における物理共有チャネル（例えば、ＰＤＳＣＨ）のスケジューリングを制御する方法（クロスキャリアスケジューリングとも呼ぶ）がサポートされる（図１参照）。図１では、第１のセル（ＣＣ＃０）で送信されるＤＣＩにより、第２のセル（ＣＣ＃１）におけるＰＤＳＣＨがスケジューリングされる。この場合、第１のセルはスケジューリングを行うセル（スケジューリングセル、又はscheduling  cell）と呼ばれてもよく、第２のセルはスケジューリングされるセル（スケジュールドセル、又はscheduled  cell）と呼ばれてもよい。
【００３７】
また、ＮＲでは、サポートする帯域幅において複数のユーザ端末が混在すること（various  BW  UE  capabilities）が想定されるため、キャリア内に一以上の部分的な周波数帯域を準静的に設定（configure）することが検討されている。当該キャリア内の各周波数帯域（例えば、５０ＭＨｚ又は２００ＭＨｚなど）は、部分帯域又は帯域幅部分（ＢＷＰ：Bandwidth  part）等と呼ばれる。
【００３８】
ＢＷＰのアクティブ化（activation）又は非アクティブ化（deactivation）は制御されてもよい。ＢＷＰのアクティブ化とは、当該ＢＷＰを利用可能な状態である（又は当該利用可能な状態に遷移する）ことであり、ＢＷＰの設定情報（configuration）（ＢＷＰ設定情報）のアクティブ化又は有効化等とも呼ばれる。また、ＢＷＰの非アクティブ化とは、当該ＢＷＰを利用不可能な状態である（又は当該利用不可能な状態に遷移する）ことであり、ＢＷＰ設定情報の非アクティブ化又は無効化等とも呼ばれる。ＢＷＰがスケジューリングされることで、このＢＷＰがアクティブ化されることになる。
【００３９】
例えば、UＥは、セル毎にそれぞれ１以上のＢＷＰが設定され、下り制御情報及びタイマーの少なくとも一つに基づいてアクティブ化されるＢＷＰを制御してもよい。このような、ＢＷＰのアクティブ化と非アクティブ化の切り替え動作は、ＢＷＰスイッチングと呼ばれてもよい。
【００４０】
しかしながら、異なるキャリア（セル又はＣＣ）間でのクロスキャリアスケジューリングを適用する場合、異なるセルのＤＣＩでスケジューリングされるセルにおいてＴＣＩフィールドをどのように解釈してＴＣＩ状態を決定するかについて十分に検討されていない。ＤＣＩのＴＣＩフィールドを適切に解釈できない場合、クロスキャリアスケジューリングにおいて適切なＴＣＩ状態を決定できず、通信品質が劣化するおそれがある。
【００４１】
あるいは、ＢＷＰスイッチングを適用する場合、ＢＷＰスイッチングを指定するＤＣＩに含まれるＴＣＩフィールドをどのように解釈してスイッチング後のＢＷＰで送信されるＰＤＳＣＨのＴＣＩ状態を決定するかについて十分に検討されていない。ＤＣＩのＴＣＩフィールドを適切に解釈できない場合、ＢＷＰスイッチングにおいて適切なＴＣＩ状態を決定できず、通信品質が劣化するおそれがある。
【００４２】
そこで、本発明者らは、所定ＤＣＩを利用して物理共有チャネルをスケジューリングする場合に、当該物理共有チャネルがスケジューリングされるセル、又はＢＷＰが変更される場合がある点に着目し、所定ＤＣＩによりスケジューリングされるセル種別（例えば、セルインデックス）、及びＢＷＰ種別（例えば、ＢＷＰインデックス）の少なくとも一つに基づいて所定ＤＣＩに含まれるＴＣＩフィールドの解釈を制御することを着想した。
【００４３】
以下、本実施の形態について、図面を参照して詳細に説明する。以下に示す各態様は単独で適用してもよいし、適宜組み合わせて適用してもよい。なお、以下の説明では、ＰＤＳＣＨに対するＴＣＩ状態について説明するが、本実施の形態はこれに限られない。他のチャネル又は信号（例えば、ＰＵＳＣＨ、ＰＤＣＣＨ、ＰＵＣＣＨ等）のＴＣＩ状態の指定についても適用することができる。
【００４４】
（第１の態様）
第１の態様では、クロスキャリアスケジューリングがサポート（又は、設定）される場合、ＤＣＩによりスケジュールされるセル（scheduled  cell）に基づいて当該ＤＣＩに含まれる所定フィールド（例えば、ＴＣＩフィールド）の値を解釈する。
【００４５】
ＵＥは、ＤＣＩにより所定セルのＰＤＳＣＨがスケジューリングされる場合、所定セルに対応する（例えば、所定セルに対して設定される）ＴＣＩ状態の構成に基づいて、当該ＤＣＩに含まれるＴＣＩフィールドを解釈する。ＴＣＩ状態の構成（例えば、TCI-state  configuration）は、スケジュールされるセルのアクティブＢＷＰ（例えば、active  DL  BWP）に設定されるＰＤＳＣＨ構成（PDSCH-Config）に含まれていてもよい。
【００４６】
基地局は、ＵＥに対してサービングセルに関する情報（例えば、ServingCellConfig）を上位レイヤシグナリング（例えば、ＲＲＣシグナリング）を設定してもよい。当該サービングセルに関する情報は、ＤＬのＢＷＰに関する情報（BWP-Downlink）を含んでいてもよい。また、ＤＬのＢＷＰに関する情報は、当該ＢＷＰで送信されるＰＤＳＣＨ構成に関する情報（pdsch-Config）を含んでいてもよい。また、当該ＰＤＳＣＨ構成に関する情報は、ＴＣＩ状態に関する情報（例えば、ＰＤＳＣＨに適用するＴＣＩ状態の候補）を含んでいてもよい。
【００４７】
クロスキャリアスケジューリングが設定される場合、ＵＥは、ＤＣＩに含まれるキャリア識別子（ＣＩ：Carrier  Indicator）フィールド（ＣＩＦ）に基づいて、当該ＤＣＩによりＰＤＳＣＨがスケジュールされるセルを決定する。例えば、第１のセルで送信されるＤＣＩに含まれるＣＩＦ値が第２のセルを指定する場合、ＵＥは、当該ＤＣＩに基づいて第２のセルでスケジュールされるＰＤＳＣＨを受信する。この場合、ＵＥは、第２のセルに対して設定されるＴＣＩ状態の構成（例えば、第２のセルのアクティブＢＷＰに設定されるＰＤＳＣＨ構成に含まれるＴＣＩ状態の構成）に基づいて、当該ＤＣＩのＴＣＩフィールド値を解釈して所定のＴＣＩ状態を決定する。
【００４８】
各セルのＢＷＰ（例えば、アクティブＢＷＰ）に対するＴＣＩ状態の候補と、ＴＣＩフィールド値をあらかじめ対応づけたテーブルを設定してもよい（図２参照）。図２では、セルＡ−セルＤのアクティブＢＷＰについて、ＴＣＩフィールド値（ここでは、３ビット）に対してＴＣＩ状態がそれぞれ関連付けられるテーブルの一例を示している。なお、ここでは、各ＴＣＩフィールド値について各セルにおいてインデックスが同じＴＣＩ状態を関連付ける場合を示しているが、これに限られない。セル毎に異なるインデックスのＴＣＩ状態が設定されてもよい。
【００４９】
図３は、セルＡにおいて送信される第１のＤＣＩ（ＤＣＩ＃１）が当該セルＡにおけるＰＤＳＣＨをスケジュール（セルフスケジューリング）する場合と、第２のＤＣＩ（ＤＣＩ＃２）がセルＢにおけるＰＤＳＣＨをスケジュール（クロスキャリアスケジューリング）する場合を示している。なお、第１のＤＣＩ及び第２のＤＣＩは、所定のＤＣＩフォーマット（例えば、ＤＣＩフォーマット１＿１）で送信されてもよい。
【００５０】
ＵＥが、セルＡのアクティブＢＷＰにおけるＰＤＳＣＨのスケジューリングを指示する第１のＤＣＩを受信した場合を想定する。ＵＥは、第１のＤＣＩに含まれるＣＩＦに基づいて、ＰＤＳＣＨがスケジューリングされるセルがセルＡであることを判断する。この場合、ＵＥは、ＰＤＳＣＨがスケジュールされるセルＡのＢＷＰに対して設定されるＴＣＩ状態構成（例えば、ＴＣＩ状態の候補）に基づいて、当該第１のＤＣＩに含まれるＴＣＩフィールドの解釈を行う。つまり、ＵＥは、ＣＩＦで指定されるスケジュールされるセルに基づいて、ＴＣＩフィールドを解釈して所定のＴＣＩ状態を決定する。
【００５１】
ＵＥが、セルＢのアクティブＢＷＰにおけるＰＤＳＣＨのスケジューリングを指示する第２のＤＣＩを受信した場合を想定する。ＵＥは、第２のＤＣＩに含まれるＣＩＦに基づいて、ＰＤＳＣＨがスケジューリングされるセルがセルＢであることを判断する。この場合、ＵＥは、ＰＤＳＣＨがスケジュールされるセルＢのＢＷＰに対して設定されるＴＣＩ状態構成（例えば、ＴＣＩ状態の候補）に基づいて、当該第２のＤＣＩに含まれるＴＣＩフィールドの解釈を行う。つまり、ＵＥは、ＣＩＦで指定されるスケジュールされるセルに基づいて、ＴＣＩフィールドを解釈して所定のＴＣＩ状態を決定する。
【００５２】
このように、スケジュールされるセルに設定されるＴＣＩ状態の構成（例えば、当該セルのＢＷＰに対するＰＤＳＣＨ構成に含まれるＴＣＩ状態構成）に基づいて、ＤＣＩのＴＣＩフィールドを解釈する。これにより、クロスキャリアスケジューリングを行う場合であっても、スケジューリングされるセル毎に適切なＴＣＩ状態を適用することが可能となる。その結果、通信品質の劣化を抑制できる。
【００５３】
なお、ＤＣＩフォーマット０＿１及びＤＣＩフォーマット１＿１におけるＴＣＩフィールドの有無は、上位レイヤシグナリング（例えば、TCI-state  enabled/disabled）により、ＣＯＲＥＳＥＴ毎に設定される。ＴＣＩフィールドが設定されないＣＯＲＥＳＥＴでは、当該フィールドは０ビット長となり、その分ゼロパディングを行うことで、ＴＣＩフィールドが設定されたＣＯＲＥＳＥＴにおけるＴＣＩフォーマット０＿１および１＿１とＴＣＩフィールドが設定されていないＣＯＲＥＳＥＴにおけるＴＣＩフォーマット０＿１および１＿１とのペイロードサイズを合わせることが想定されている。
【００５４】
スケジューリングセルのアクティブＢＷＰにおけるＰＤＣＣＨで、異なるサービングセルのアクティブＢＷＰにおけるＰＤＳＣＨに対するクロスキャリアスケジューリングが設定される場合を想定する。かかる場合、当該ＰＤＳＣＨに対して複数のＴＣＩ状態がアクティブであるとすると、ＴＣＩフィールドが設定されたＣＯＲＥＳＥＴにマッピングされるサーチスペースに設定されたＤＣＩフォーマット１＿１であれば当該ＰＤＳＣＨに対して１つのＴＣＩ状態を指定することができる。しかし、ＴＣＩフィールドが設定されないＣＯＲＥＳＥＴにマッピングされるサーチスペースに設定されたＤＣＩフォーマット１＿１では、当該フィールドが０ビット長であることから、当該ＰＤＳＣＨに対してＴＣＩ状態を指定することができない。これにより、ＵＥがＰＤＳＣＨを正しく受信できないおそれがある。
【００５５】
そのため、ＵＥは、所定のサーチスペース（例えば、ＴＣＩフィールドが設定されないＣＯＲＥＳＥＴに対応するサーチスペース）に基づいてＤＣＩを受信した場合、所定のＴＣＩ状態を適用するように制御してもよい。
【００５６】
例えば、ＴＣＩフィールドが設定されないＣＯＲＥＳＥＴにマッピングされるサーチスペースに設定されたＤＣＩフォーマット１＿１によって複数のＴＣＩ状態がアクティブ化されたＰＤＳＣＨがクロスキャリアスケジューリングされる場合を想定する。この場合、ＵＥは、当該ＤＣＩフォーマット１＿１にはＴＣＩフィールドは含まれないものの、ＴＣＩフィールドの値が所定の値（例えば０）であると想定して当該ＰＤＳＣＨのＴＣＩ状態を決定し、当該ＰＤＳＣＨの復調を行ってもよい。
【００５７】
あるいは、ＵＥは、当該ＰＤＳＣＨは当該スケジュールドセルでＵＥが参照している特定の参照信号（例えば初期アクセスで選択したＳＳ／ＰＢＣＨ  ｂｌｏｃｋや、ランダムアクセスで選択したＳＳ／ＰＢＣＨ  ｂｌｏｃｋまたはＣＳＩ−ＲＳ）とＱＣＬであると想定して復調を行ってもよい。
【００５８】
このようにすることで、当該ＰＤＳＣＨのＴＣＩ状態または当該ＰＤＳＣＨにＱＣＬとなる参照信号を適切に識別することができ、ＵＥがＰＤＳＣＨを正しく受信することができる。
【００５９】
（第２の態様）
第２の態様では、ＤＣＩを利用したＢＷＰスイッチングがサポート（又は、設定）される場合、ＤＣＩにより指定されるＢＷＰ（例えば、スイッチング後のＢＷＰ又はアクティブＢＷＰ）に基づいて当該ＤＣＩに含まれる所定フィールド（例えば、ＴＣＩフィールド）の値を解釈する。
【００６０】
ＵＥは、所定セルにおいてＤＣＩにより所定ＢＷＰが指定される（所定ＢＷＰにスイッチングされる）場合、所定ＢＷＰに対応する（例えば、所定ＢＷＰに対して設定される）ＴＣＩ状態の構成に基づいて、当該ＤＣＩに含まれるＴＣＩフィールドを解釈する。ＴＣＩ状態の構成（例えば、TCI-state  configuration）は、所定セルの所定ＢＷＰに設定されるＰＤＳＣＨ構成（PDSCH-Config）に含まれていてもよい。
【００６１】
基地局は、ＵＥに対してサービングセルに関する情報（例えば、ServingCellConfig）を上位レイヤシグナリング（例えば、ＲＲＣシグナリング）を設定してもよい。当該サービングセルに関する情報は、ＤＬのＢＷＰに関する情報（BWP-Downlink）を含んでいてもよい。所定セル（例えば、セルＡ）において、複数のＤＬのＢＷＰが設定される場合には、ＢＷＰ毎の情報がサービングセルに関する情報に含まれていてもよい。また、各ＢＷＰに関する情報は、当該各ＢＷＰで送信されるＰＤＳＣＨ構成に関する情報（pdsch-Config）を含んでいてもよい。また、当該ＰＤＳＣＨ構成に関する情報は、ＴＣＩ状態に関する情報（例えば、ＰＤＳＣＨに適用するＴＣＩ状態の候補）を含んでいてもよい。
【００６２】
ＢＷＰスイッチングが設定される場合、ＵＥは、ＤＣＩに含まれるＢＷＰ識別子（ＢＩ：Bandwidth  part  Indicator）フィールド（ＢＩＦ）に基づいて、当該ＤＣＩでスケジュールされるＰＤＳＣＨの送信に利用されるＢＷＰを決定する。例えば、第１のＢＷＰで送信されるＤＣＩに含まれるＢＩＦ値が第２のＢＷＰを指定する場合、ＵＥは、当該ＤＣＩに基づいて第２のＢＷＰにおいてＰＤＳＣＨを受信する。この場合、ＵＥは、第２のＢＷＰに対して設定されるＴＣＩ状態の構成（例えば、第２のＢＷＰに設定されるＰＤＳＣＨ構成に含まれるＴＣＩ状態の構成）に基づいて、当該ＤＣＩのＴＣＩフィールド値を解釈して所定のＴＣＩ状態を決定する。
【００６３】
各ＢＷＰ（例えば、所定セルに設定される複数のＢＷＰ）に対するＴＣＩ状態の候補と、ＴＣＩフィールド値をあらかじめ対応づけたテーブルを設定してもよい（図４参照）。図４では、セルＡに設定されるＢＷＰ＃Ａ１−ＢＷＰ＃Ａ４について、ＴＣＩフィールド値（ここでは、３ビット）に対してＴＣＩ状態がそれぞれ関連付けられるテーブルの一例を示している。なお、ここでは、各ＴＣＩフィールド値について、各ＢＷＰにおいてインデックスが同じＴＣＩ状態を関連付ける場合を示しているが、これに限られない。ＢＷＰ毎に異なるインデックスのＴＣＩ状態が設定されてもよい。
【００６４】
図５は、セルＡの第１のＢＷＰ＃Ａ１において送信される第１のＤＣＩ（ＤＣＩ＃１）が当該ＢＷＰ＃Ａ１におけるＰＤＳＣＨをスケジュールする場合と、第２のＤＣＩ（ＤＣＩ＃２）がＢＷＰ＃Ａ２を指定し（ＢＷＰスイッチングを指示し）、ＢＷＰ＃Ａ２おけるＰＤＳＣＨをスケジュールする場合を示している。なお、第１のＤＣＩ及び第２のＤＣＩは、所定のＤＣＩフォーマット（例えば、ＤＣＩフォーマット１＿１）で送信されてもよい。
【００６５】
ＵＥが、セルＡの第１のＢＷＰ＃Ａ１を指定し、且つ当該ＢＷＰ＃Ａ１におけるＰＤＳＣＨのスケジューリングを指示する第１のＤＣＩを受信した場合を想定する。ＵＥは、第１のＤＣＩに含まれるＢＩＦに基づいて、ＢＷＰ＃Ａ１がアクティブＢＷＰとなることを判断する。この場合、ＵＥは、ＤＣＩで指定されるＢＷＰ＃Ａ１に対して設定されるＴＣＩ状態構成（例えば、ＴＣＩ候補）に基づいて、当該第１のＤＣＩに含まれるＴＣＩフィールドの解釈を行う。つまり、ＵＥは、ＢＩＦで指定されるＢＷＰに基づいて、ＴＣＩフィールドを解釈して所定のＴＣＩ状態を決定する。
【００６６】
ＵＥが、セルＡの第２のＢＷＰ＃Ａ２を指定し、且つ当該ＢＷＰ＃Ａ２におけるＰＤＳＣＨのスケジューリングを指示する第２のＤＣＩを受信した場合を想定する。ＵＥは、第２のＤＣＩに含まれるＢＩＦに基づいて、ＢＷＰ＃Ａ２がアクティブＢＷＰとなる（例えば、ＢＷＰ＃Ａ１からＢＷＰ＃Ａ２へスイッチングする）ことを判断する。この場合、ＵＥは、ＤＣＩで指定されるＢＷＰ＃Ａ２に対して設定されるＴＣＩ状態構成（例えば、ＴＣＩ候補）に基づいて、当該第２のＤＣＩに含まれるＴＣＩフィールドの解釈を行う。つまり、ＵＥは、ＢＩＦで指定されるＢＷＰに基づいて、ＴＣＩフィールドを解釈して所定のＴＣＩ状態を決定する。
【００６７】
このように、ＤＣＩで指定される所定ＢＷＰに設定されるＴＣＩ状態構成（例えば、所定ＢＷＰに対するＰＤＳＣＨ構成に含まれるＴＣＩ状態構成）に基づいて、ＤＣＩのＴＣＩフィールドを解釈する。これにより、ＤＣＩを利用したＢＷＰスイッチングを行う場合であっても、ＢＷＰ毎に適切なＴＣＩ状態を適用することが可能となる。その結果、通信品質の劣化を抑制できる。
【００６８】
（変形例）
第１の態様と第２の態様は組み合わせて適用してもよい。
【００６９】
例えば、ＵＥは、ＰＤＳＣＨをスケジュールするＤＣＩを受信した場合、当該ＤＣＩに含まれるＣＩＦに基づいてＰＤＳＣＨがスケジュールされる所定セルを判断する。また、ＵＥは、当該ＤＣＩに含まれるＢＩＦに基づいて所定セルでアクティブ化される所定ＢＷＰを判断する。
【００７０】
この場合、ＵＥは、所定セルに対して設定される複数のＢＷＰのうち、所定ＢＷＰに対して設定されるＴＣＩ構成に基づいてＤＣＩに含まれるＴＣＩフィールドを解釈し、適用するＴＣＩ状態を決定してもよい。つまり、ＵＥは、ＤＣＩに含まれるＣＩＦとＢＩＦに基づいてＴＣＩ状態を決定してもよい。
【００７１】
このように、ＤＣＩに含まれるＣＩＦとＢＩＦに基づいてＴＣＩ状態を決定することにより、クロスキャリアスケジューリング及びＤＣＩを利用したＢＷＰスイッチングが設定される場合であっても、ＴＣＩ状態を適切に決定することが可能となる。
【００７２】
（無線通信システム）
以下、本実施の形態に係る無線通信システムの構成について説明する。この無線通信システムでは、本開示の上記各実施の形態に係る無線通信方法のいずれか又はこれらの組み合わせを用いて通信が行われる。
【００７３】
図６は、本実施の形態に係る無線通信システムの概略構成の一例を示す図である。無線通信システム１では、複数のコンポーネントキャリア（キャリア又はセル）を一体としたキャリアアグリゲーション（ＣＡ）及び／又はデュアルコネクティビティ（ＤＣ）を適用することができる。
【００７４】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００７５】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００７６】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００７７】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。また、無線通信システム１は、同一のＲＡＴ内の複数の基地局間のデュアルコネクティビティ（例えば、ＭＮ及びＳＮの双方がＮＲの基地局（ｇＮＢ）となるデュアルコネクティビティ（ＮＮ−ＤＣ：NR-NR  Dual  Connectivity））をサポートしてもよい。
【００７８】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【００７９】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００８０】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００８１】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【００８２】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【００８３】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【００８４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００８５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００８６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００８７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００８８】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００８９】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００９０】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００９１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００９２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００９３】
＜基地局＞
図７は、本実施の形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００９４】
下りリンクによって基地局１０からユーザ端末２０に送信されるユーザデータは、上位局装置３０から伝送路インターフェース１０６を介してベースバンド信号処理部１０４に入力される。
【００９５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００９６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【００９９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１００】
図８は、本実施の形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１０１】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１０２】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１０３】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１０４】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号、送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１０５】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１０６】
制御部３０１は、上りデータ信号（例えば、ＰＵＳＣＨで送信される信号）、上り制御信号（例えば、ＰＵＣＣＨ及び／又はＰＵＳＣＨで送信される信号、送達確認情報など）、ランダムアクセスプリアンブル（例えば、ＰＲＡＣＨで送信される信号）、上り参照信号などのスケジューリングを制御する。
【０１０７】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１０８】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１０９】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１１０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１１１】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１１２】
測定部３０５は、受信した信号に関する測定を実施する。測定部３０５は、本開示に係る技術分野での共通認識に基づいて説明される測定器、測定回路又は測定装置から構成することができる。
【０１１３】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１１４】
なお、送受信部１０３は、送信構成指示（ＴＣＩ）の状態を指定するフィールドを含む下り制御情報を送信する。また、送受信部１０３は、ＤＣＩに含まれるＴＣＩフィールド値に対応するＴＣＩ状態の構成（例えば、ＴＣＩ状態候補）に関する情報をセル毎にＵＥに送信してもよい。
【０１１５】
制御部３０１は、セルグループ、セル、ＢＷＰ、ＣＯＲＥＳＥＴ、サーチスペース、クロスキャリアスケジューリングの少なくとも一つの設定を制御し、これらの少なくとも一つの設定情報の送信を制御してもよい。
【０１１６】
制御部３０１は、下り制御情報によりスケジューリングされるセル、及び下り制御情報により指定される帯域幅部分（ＢＷＰ）の少なくとも一つに基づいてＴＣＩフィールド値を制御する。例えば、制御部３０１は、下り制御情報に含まれるキャリア識別子（ＣＩ）及びＢＷＰ識別子（ＢＩ）の少なくとも一つに基づいて、ＴＣＩフィールドにより指定するＴＣＩの状態の決定を制御してもよい。
【０１１７】
制御部３０１は、ＴＣＩフィールドにより指定するＴＣＩの状態の候補をセル毎に設定するように制御してもよい。また、制御部３０１は、ＴＣＩフィールドが指定するＴＣＩの状態の候補をＢＷＰ毎に設定するように制御してもよい。
【０１１８】
＜ユーザ端末＞
図９は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１１９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１２０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１２１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１２２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１２３】
図１０は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１２４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１２５】
制御部４０１は、ユーザ端末２０全体の制御を実施する。制御部４０１は、本開示に係る技術分野での共通認識に基づいて説明されるコントローラ、制御回路又は制御装置から構成することができる。
【０１２６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１２７】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１２８】
制御部４０１は、所定の識別子（例えば、Ｃ−ＲＮＴＩ、ＣＳ−ＲＮＴＩ、ＭＣＳ−Ｃ−ＲＮＴＩ、ＳＩ−ＲＮＴＩ、Ｐ−ＲＮＴＩ、ＲＡ−ＲＮＴＩ、ＴＣ−ＲＮＴＩ、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩ、ＳＰ−ＣＳＩ−ＲＮＴＩの少なくとも一つ）でＣＲＣスクランブルされるＤＣＩの監視を制御してもよい。
【０１２９】
また、制御部４０１は、基地局１０から通知された各種情報を受信信号処理部４０４から取得した場合、当該情報に基づいて制御に用いるパラメータを更新してもよい。
【０１３０】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１３１】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１３２】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１３３】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１３４】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１３５】
測定部４０５は、受信した信号に関する測定を実施する。測定部４０５は、本開示に係る技術分野での共通認識に基づいて説明される測定器、測定回路又は測定装置から構成することができる。
【０１３６】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１３７】
なお、送受信部２０３は、送信構成指示（ＴＣＩ）の状態を指定するフィールドを含む下り制御情報を受信する。また、送受信部１０３は、セル毎のＴＣＩフィールド値に対応するＴＣＩ状態の構成（例えば、ＴＣＩ状態候補）に関する情報を受信してもよい。
【０１３８】
制御部４０１は、セルグループ、セル、ＢＷＰ、ＣＯＲＥＳＥＴ、サーチスペース、クロスキャリアスケジューリングの少なくとも一つの設定を制御し、これらの少なくとも一つの設定情報の受信を制御してもよい。
【０１３９】
制御部４０１は、下り制御情報によりスケジューリングされるセル、及び下り制御情報により指定される帯域幅部分（ＢＷＰ）の少なくとも一つに基づいてＴＣＩフィールドの解釈を制御することにより、ＴＣＩフィールドが指定するＴＣＩの状態を決定してもよい。例えば、制御部４０１は、下り制御情報に含まれるキャリア識別子（ＣＩ）及びＢＷＰ識別子（ＢＩ）の少なくとも一つを利用してＴＣＩフィールドにより指定されるＴＣＩの状態の解釈を制御してもよい。
【０１４０】
制御部４０１は、ＴＣＩフィールドにより指定されるＴＣＩの状態の候補がセル毎に設定されると想定してＣＩに基づいてＴＣＩ状態の決定を行ってもよい。また、制御部４０１は、ＴＣＩフィールドにより指定されるＴＣＩの状態の候補がＢＷＰ毎に設定されると想定してＢＩに基づいてＴＣＩ状態の決定を行ってもよい。
【０１４１】
＜ハードウェア構成＞
なお、上記実施の形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１４２】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１４３】
例えば、本開示の一実施の形態における基地局、ユーザ端末などは、本開示の無線通信方法の処理を行うコンピュータとして機能してもよい。図１１は、一実施の形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１４４】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１４５】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１４６】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１４７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１４８】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１４９】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１５０】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１５１】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３（２０３）は、送信部１０３ａ（２０３ａ）と受信部１０３ｂ（２０３ｂ）とで、物理的に又は論理的に分離された実装がなされてもよい。
【０１５２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１５３】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１５４】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１５５】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１５６】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１５７】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１５８】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１５９】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１６０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１６１】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６２】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６３】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１６４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１６６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１６８】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１６９】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１７０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１７１】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１７２】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１７３】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１７４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７５】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１７６】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１７７】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７８】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１７９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１８０】
情報の通知は、本開示において説明した態様／実施の形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０１８２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１８３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１８４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１８６】
本開示において使用する「システム」及び「ネットワーク」という用語は、互換的に使用され得る。
【０１８７】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０１８８】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１８９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１９０】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１９１】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９２】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１９３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施の形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０１９４】
同様に、本開示におけるユーザ端末は、基地局で読み替えてもよい。この場合、上述のユーザ端末２０が有する機能を基地局１０が有する構成としてもよい。
【０１９５】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９６】
本開示において説明した各態様／実施の形態は単独で用いてもよいし、組み合わせて用いてもよいし、実行に伴って切り替えて用いてもよい。また、本開示において説明した各態様／実施の形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１９７】
本開示において説明した各態様／実施の形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０１９８】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９９】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２００】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２０１】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２０２】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２０３】
また、「判断（決定）」は、「想定する（assuming）」、「期待する（expecting）」、「みなす（considering）」などで読み替えられてもよい。
【０２０４】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２０５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２０６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２０７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２０８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２０９】
本開示において、例えば、英語でのa,  an及びtheのように、翻訳によって冠詞が追加された場合、本開示は、これらの冠詞の後に続く名詞が複数形であることを含んでもよい。
【０２１０】
以上、本開示に係る発明について詳細に説明したが、当業者にとっては、本開示に係る発明が本開示中に説明した実施の形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020053941.tif 000003
【図２】
2020053941.tif 000004
【図３】
2020053941.tif 000005
【図４】
2020053941.tif 000006
【図５】
2020053941.tif 000007
【図６】
2020053941.tif 000008
【図７】
2020053941.tif 000009
【図８】
2020053941.tif 000010
【図９】
2020053941.tif 000011
【図１０】
2020053941.tif 000012
【図１１】
2020053941.tif 000013
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
送信構成指示（ＴＣＩ）フィールドを含み、第１のセルにおいて送信され、第２のセルの物理下りリンク共有チャネル（ＰＤＳＣＨ）をスケジューリングする下り制御情報を受信する受信部と、
前記ＴＣＩフィールドに基づいて、前記第２のセルに設定されるＴＣＩ状態の候補のうち、前記ＰＤＳＣＨに適用するＴＣＩ状態を判断する制御部と、を有する端末。
【請求項２】
前記第２のセルに設定されるＴＣＩ状態の候補は、上位レイヤシグナリングにより設定されるＰＤＳＣＨ構成情報に含まれる
ことを特徴とする請求項１に記載の端末。
【請求項３】
前記ＰＤＳＣＨ構成情報は、前記第２のセルのＢＷＰに対して設定されることを特徴とする請求項２に記載の端末。
【請求項４】
送信構成指示（ＴＣＩ）フィールドを含み、第１のセルにおいて送信され、第２のセルの物理下りリンク共有チャネル（ＰＤＳＣＨ）をスケジューリングする下り制御情報を受信する工程と、
前記ＴＣＩフィールドに基づいて、前記第２のセルに設定されるＴＣＩ状態の候補のうち、前記ＰＤＳＣＨに適用するＴＣＩ状態を判断する工程と、を有する端末の無線通信方法。
【請求項５】
送信構成指示（ＴＣＩ）フィールドを含み、第１のセルにおいて送信され、第２のセルの物理下りリンク共有チャネル（ＰＤＳＣＨ）をスケジューリングする下り制御情報を送信する送信部と、
前記ＴＣＩフィールドを用いて、前記第２のセルに設定されるＴＣＩ状態の候補のうち、前記ＰＤＳＣＨに適用するＴＣＩ状態を指定する制御部と、を有する基地局。
【請求項６】
基地局と端末とを有するシステムであって、
前記基地局は、
送信構成指示（ＴＣＩ）フィールドを含み、第１のセルにおいて送信され、第２のセルの物理下りリンク共有チャネル（ＰＤＳＣＨ）をスケジューリングする下り制御情報を送信する送信部を有し、
前記端末は、
前記下り制御情報を受信する受信部と、
前記ＴＣＩフィールドに基づいて、前記第２のセルに設定されるＴＣＩ状態の候補のうち、前記ＰＤＳＣＨに適用するＴＣＩ状態を判断する制御部と、を有するシステム。
【手続補正３】
【補正対象書類名】明細書
【補正対象項目名】００１０
【補正方法】変更
【補正の内容】
【００１０】
本開示の一態様に係る端末は、送信構成指示（ＴＣＩ）フィールドを含み、第１のセルにおいて送信され、第２のセルの物理下りリンク共有チャネル（ＰＤＳＣＨ）をスケジューリングする下り制御情報を受信する受信部と、前記ＴＣＩフィールドに基づいて、前記第２のセルに設定されるＴＣＩ状態の候補のうち、前記ＰＤＳＣＨに適用するＴＣＩ状態を判断する制御部と、を有することを特徴とする。
【国際調査報告】
2020053941.tif 000014
2020053941.tif 000015